(57)【要約】  端末１，２，３と、コアネットワーク装置１０と、アクセスが許可された端末と接続可能なセルを構成する基地局２０，３０を備え、コアネットワーク装置１０が、端末１，２，３がアクセス可能なセルをリスト化した第１のリストを保持し、端末１，２，３が、自身がアクセス可能なセルをリスト化した第２のリストを保持するセルラシステムにおけるアクセス権限変更方法であって、基地局２０が端末２に対してアクセスを許可した旨をコアネットワーク装置１０へ通知し、通知を受けたコアネットワーク装置１０が、第１のリストに基地局２０のセルを追加し、セルが追加された第１のリストを基地局２０へ送信し、基地局２０が、受信した第１のリストをセル内に同報送信し、端末２が、受信した第１のリストの内容に基づいて第２のリストに基地局２０のセル２１を追加し、セル２１にアクセスしてコアネットワーク装置１０との通信を開始する。
2011001526.tif 000002
【特許請求の範囲】
【請求項１】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、
前記基地局が、自局のセルへのアクセスが許可されていない所定の端末に対してアクセスを許可した旨を、前記コアネットワーク装置に対して通知するゲスト端末追加指示ステップと、
前記通知を受けたコアネットワーク装置が、前記第１のリストに、前記所定の端末がアクセス可能なセルとして、前記基地局のセルを追加する第１のセル追加ステップと、
前記コアネットワーク装置が、前記第１のセル追加ステップにてセルが追加された第１のリストを前記基地局へ送信する変更内容送信ステップと、
前記基地局が、前記コアネットワーク装置から受信した第１のリストをセル内に同報送信する報知ステップと、
前記所定の端末が、前記基地局から受信した第１のリストの内容に基づいて、前記第２のリストに当該基地局のセルを追加し、当該セルにアクセスして前記コアネットワーク装置との通信を開始する第２のセル追加ステップと、
を含むことを特徴とするアクセス権限変更方法。
【請求項２】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、
前記基地局が、自局のセルへのアクセスが許可されていない所定の端末に対してアクセスを許可した旨を、前記コアネットワーク装置に対して通知するゲスト端末追加指示ステップと、
前記通知を受けたコアネットワーク装置が、前記第１のリストに、前記所定の端末がアクセス可能なセルとして、前記基地局のセルを追加する第１のセル追加ステップと、
前記コアネットワーク装置が、前記基地局経由でページングにより前記所定の端末を呼び出すページングステップと、
前記所定の端末が、ページングに応答して、前記基地局を経由して前記コアネットワーク装置との間で通信コネクションを確立し、通信を開始する通信開始ステップと、
前記コアネットワーク装置が、前記第１のセル追加ステップにてセルが追加された第１のリストを、前記基地局経由で前記所定の端末へ送信する変更内容送信ステップと、
前記所定の端末が、受信した第１のリストの内容に基づいて、前記第２のリストに前記基地局のセルを追加する第２のセル追加ステップと、
を含むことを特徴とするアクセス権限変更方法。
【請求項３】
前記ページングステップでは、前記コアネットワーク装置が、第１のリストに追加したセルに対してページングメッセージを送信する、
ことを特徴とする請求項２に記載のアクセス権限変更方法。
【請求項４】
前記ページングステップでは、前記コアネットワーク装置が、第１のリストに追加したセルおよび当該セルの周辺のセルに対してページングメッセージを送信する、
ことを特徴とする請求項２に記載のアクセス権限変更方法。
【請求項５】
アクセスが許可されていないセルに存在している端末が、当該セルを構成する基地局を経由して前記コアネットワーク装置との間で位置登録を行うことが可能な場合に、
さらに、
前記所定の端末と前記コアネットワーク装置との間で、前記許可されていないセルを構成する基地局を経由した位置登録を行う位置登録ステップ、
を含み、
前記ページングステップでは、前記コアネットワーク装置が、前記位置登録を行った前記所定の端末が存在するセルに対してページングメッセージを送信する、
ことを特徴とする請求項２に記載のアクセス権限変更方法。
【請求項６】
前記位置登録ステップでは、前記所定の端末が、アクセスが許可されているセルから位置登録を行う場合より頻度を下げて位置登録メッセージを送信する、
ことを特徴とする請求項５に記載のアクセス権限変更方法。
【請求項７】
前記位置登録ステップは、
前記コアネットワーク装置が、前記所定の端末との間で位置登録を行う際、第１のリストにおいて当該端末に関する内容に変更があった場合に、前記基地局を経由して当該端末に対して変更内容を通知する第１のリスト変更内容通知ステップと、
前記通知を受信した端末が、第１のリストの変更内容に基づいて第２のリストの内容を変更する第２のリスト変更ステップと、
を含むことを特徴とする請求項５または６に記載のアクセス権限変更方法。
【請求項８】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、
前記基地局が、自局のセルへのアクセスが許可されていた所定の端末に対してアクセスを禁止した旨を、前記コアネットワーク装置に対して通知する端末削除指示ステップと、
前記通知を受けたコアネットワーク装置が、前記第１のリストから、前記所定の端末がアクセスを禁止されたセルとして、前記基地局のセルを削除する第１のセル削除ステップと、
前記コアネットワーク装置が、前記第１のセル削除ステップにてセルが削除された第１のリストを前記基地局へ送信する変更内容送信ステップと、
前記基地局が、前記コアネットワーク装置から受信した第１のリストをセル内に同報送信する報知ステップと、
前記所定の端末が、前記基地局から受信した第１のリストの内容に基づいて、前記第２のリストから当該基地局のセルを削除し、当該セルからの離脱処理を行う第２のセル削除ステップと、
を含むことを特徴とするアクセス権限変更方法。
【請求項９】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、
前記基地局が、自局のセルへのアクセスが許可されていた所定の端末に対してアクセスを禁止した旨を、前記コアネットワーク装置に対して通知する端末削除指示ステップと、
前記通知を受けたコアネットワーク装置が、前記第１のリストから、前記所定の端末がアクセスを禁止されたセルとして、前記基地局のセルを削除する第１のセル削除ステップと、
アクセスが禁止された所定の端末と前記基地局経由で通信中の前記コアネットワーク装置が、当該基地局経由で当該所定の端末に対して、前記第１のセル削除ステップにてセルが削除された第１のリストを通知するアクセス禁止通知ステップと、
前記所定の端末が、受信した第１のリストの内容に基づいて、前記第２のリストから前記基地局のセルを削除し、通信終了後、当該セルからの離脱処理を行う第２のセル削除ステップと、
を含むことを特徴とするアクセス権限変更方法。
【請求項１０】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、
前記基地局が、自局のセルへのアクセスが許可されていた所定の端末に対してアクセスを禁止した旨を、前記コアネットワーク装置に対して通知する端末削除指示ステップと、
前記通知を受けたコアネットワーク装置が、前記第１のリストから、前記所定の端末がアクセスを禁止されたセルとして、前記基地局のセルを削除する第１のセル削除ステップと、
アクセスが禁止された所定の端末が待ち受け状態の場合に、前記コアネットワーク装置が、前記基地局経由でページングにより当該所定の端末を呼び出し、当該所定の端末との間で通信コネクションを確立し、当該基地局経由で当該所定の端末に対して、前記第１のセル削除ステップにてセルが削除された第１のリストを通知するアクセス禁止通知ステップと、
前記所定の端末が、受信した第１のリストの内容に基づいて、前記第２のリストから前記基地局のセルを削除し、通信終了後、当該セルからの離脱処理を行う第２のセル削除ステップと、
を含むことを特徴とするアクセス権限変更方法。
【請求項１１】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、
前記基地局が、自局のセルへのアクセスが許可されていた所定の端末に対してアクセスを禁止した旨を、前記コアネットワーク装置に対して通知する端末削除指示ステップと、
前記通知を受けたコアネットワーク装置が、前記第１のリストから、前記所定の端末がアクセスを禁止されたセルとして、前記基地局のセルを削除する第１のセル削除ステップと、
アクセスが禁止された所定の端末が待ち受け状態の場合に、前記コアネットワーク装置が、当該所定の端末が位置登録を行うために前記基地局を経由して接続した際、当該基地局経由で当該所定の端末に対して、前記第１のセル削除ステップにてセルが削除された第１のリストを通知するアクセス禁止通知ステップと、
前記所定の端末が、受信した第１のリストの内容に基づいて、前記第２のリストから前記基地局のセルを削除し、通信終了後、当該セルからの離脱処理を行う第２のセル削除ステップと、
を含むことを特徴とするアクセス権限変更方法。
【請求項１２】
前記報知ステップでは、前記基地局が、端末を示す識別子をスクランブル化して同報送信する、
ことを特徴とする請求項１または８に記載のアクセス権限変更方法。
【請求項１３】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記コアネットワーク装置であって、
前記基地局から、セルへのアクセスが許可されていない所定の端末のアクセスを許可する旨の通知、を受けた場合に、前記第１のリストに、当該所定の端末がアクセス可能なセルとして当該基地局のセルを追加し、変更後の第１のリストの内容を当該基地局へ送信する、
ことを特徴とするコアネットワーク装置。
【請求項１４】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記コアネットワーク装置であって、
前記基地局から、セルへのアクセスが許可されていない所定の端末のアクセスを許可する旨の通知、を受けた場合に、前記第１のリストに、当該所定の端末がアクセス可能なセルとして当該基地局のセルを追加し、当該基地局経由でページングにより当該所定の端末を呼び出し、当該基地局を経由して当該所定の端末との間で通信コネクションを確立して通信を開始後、変更後の第１のリストの内容を当該所定の端末へ送信する、
ことを特徴とするコアネットワーク装置。
【請求項１５】
ページングによる呼び出しを行う場合には、第１のリストに追加したセルに対してページングメッセージを送信する、
ことを特徴とする請求項１４に記載のコアネットワーク装置。
【請求項１６】
ページングによる呼び出しを行う場合には、第１のリストに追加したセルおよび当該セルの周辺のセルに対してページングメッセージを送信する、
ことを特徴とする請求項１４に記載のコアネットワーク装置。
【請求項１７】
アクセスが許可されていないセルに存在している前記所定の端末との間で、当該許可されていないセルを構成する基地局を経由して位置登録を行い、
ページングによる呼び出しを行う場合、前記位置登録を行った前記所定の端末が存在するセルに対してページングメッセージを送信する、
ことを特徴とする請求項１４に記載のコアネットワーク装置。
【請求項１８】
前記所定の端末との間で位置登録を行う際、第１のリストにおいて当該所定の端末に関する内容に変更があった場合、前記基地局を経由して当該所定の端末に対して変更内容を通知する、
ことを特徴とする請求項１７に記載のコアネットワーク装置。
【請求項１９】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記コアネットワーク装置であって、
前記基地局から、セルへアクセスが許可されていた所定の端末のアクセスを禁止する旨の通知、を受けた場合に、前記第１のリストから、当該所定の端末がアクセスを禁止されたセルとして当該基地局のセルを削除し、変更後の第１のリストの内容を当該基地局へ送信する、
ことを特徴とするコアネットワーク装置。
【請求項２０】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記コアネットワーク装置であって、
前記基地局から、セルへアクセスが許可されていた所定の端末のアクセスを禁止する旨の通知、を受けた場合に、前記第１のリストから、当該所定の端末がアクセスを禁止されたセルとして当該基地局のセルを削除し、アクセスが禁止された所定の端末と当該基地局経由で通信中の場合に、変更後の第１のリストの内容を、当該基地局経由で当該所定の端末へ通知する、
ことを特徴とするコアネットワーク装置。
【請求項２１】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記コアネットワーク装置であって、
前記基地局から、セルへアクセスが許可されていた所定の端末のアクセスを禁止する旨の通知、を受けた場合に、前記第１のリストから、当該所定の端末がアクセスを禁止されたセルとして当該基地局のセルを削除し、アクセスが禁止された所定の端末が待ち受け状態の場合に、当該基地局経由でページングにより当該所定の端末を呼び出し、当該所定の端末との間で通信コネクションを確立し、変更後の第１のリストの内容を、当該基地局経由で当該所定の端末へ通知する、
ことを特徴とするコアネットワーク装置。
【請求項２２】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記コアネットワーク装置であって、
前記基地局から、セルへアクセスが許可されていた所定の端末のアクセスを禁止する旨の通知、を受けた場合に、前記第１のリストから、当該所定の端末がアクセスを禁止されたセルとして当該基地局のセルを削除し、アクセスが禁止された所定の端末が待ち受け状態の場合に、当該所定の端末が位置登録を行うために当該基地局を経由して接続した際、変更後の第１のリストの内容を、当該基地局経由で当該所定の端末へ通知する、
ことを特徴とするコアネットワーク装置。
【請求項２３】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記基地局であって、
請求項１３〜１８のいずれか１つに記載のコアネットワーク装置に対して、自セルへのアクセスが許可されていない所定の端末のアクセスを許可する旨、を通知する、
ことを特徴とする基地局。
【請求項２４】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記基地局であって、
請求項１９〜２２のいずれか１つに記載のコアネットワーク装置に対して、自セルへのアクセスが許可されていた所定の端末のアクセスを禁止する旨、を通知する、
ことを特徴とする基地局。
【請求項２５】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記端末であって、
請求項２３に記載の基地局から受信した第１のリストの内容に基づいて、前記第２のリストに当該基地局のセルを追加する、
ことを特徴とする端末。
【請求項２６】
アクセスが許可されていないセルに存在している場合に、
前記コアネットワーク装置との間で、前記許可されていないセルを構成する基地局を経由して位置登録を行う、
ことを特徴とする請求項２５に記載の端末。
【請求項２７】
アクセスが許可されているセルから位置登録を行う場合より頻度を下げて位置登録メッセージを送信する、
ことを特徴とする請求項２６に記載の端末。
【請求項２８】
前記基地局を経由して前記コアネットワーク装置との間で位置登録を行う際、当該基地局を経由して当該コアネットワーク装置から第１のリストの変更内容の通知を受信した場合に、第１のリストの変更内容に基づいて第２のリストの内容を変更する、
ことを特徴とする請求項２６または２７に記載の端末。
【請求項２９】
少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステム、における前記端末であって、
請求項２４に記載の基地局から受信した第１のリストの内容に基づいて、前記第２のリストから当該基地局のセルを削除する、
ことを特徴とする端末。
【発明の詳細な説明】
【技術分野】
【０００１】
本発明は、ＣＳＧセルに対するアクセス権限を動的に変更可能なアクセス権限変更方法に関する。
【背景技術】
【０００２】
３ＧＰＰ（3rd  Generation  Partnership  Project）では、主に家庭用基地局を対象とし、かつセル毎に規定した特定ユーザだけが接続可能な、ＣＳＧ（Closed  Subscriber  Group）セルのコンセプトを３．９世代以降の移動体通信システム（ＬＴＥ：Long  Term  Evolution／ＳＡＥ：Service  Architecture  Evolution）に導入することが決定され、各セルでアクセス可能なユーザを規定するための仕組みが標準化されている。【０００３】
具体的には、コアネットワークが、各端末がアクセス可能なセルをリスト化したホワイトリストを備え、各端末が、自端末でアクセス可能なセルをリスト化したホワイトリストを備える。端末側は、アクセスしようとするセルがＣＳＧセルである場合、自身のホワイトリストを照会して当該セルにアクセス可能か否かを判断し、アクセス可能な場合にのみアクセスを行う。一方、コアネットワーク側は、ＣＳＧセルから端末のサービス要求を受信した際に当該端末のホワイトリストを参照し、当該端末が当該ＣＳＧセルに対してアクセス権限を持っている場合にのみサービスの開始を許可し、アクセス権限を持っていない場合にはサービスを中断して端末の無線アクセスを切断する。また、ＣＳＧセルでは、ＣＳＧセルを構成する基地局のオーナの指示によって、通常はアクセスが許可されていない端末（ゲスト端末）を一時的にアクセス可能とし、逆にアクセスが許可されている端末を一時的にアクセス不可とすることができる。このような技術が、下記非特許文献１，２において開示されている。
【先行技術文献】
【非特許文献】
【０００４】
【非特許文献１】3GPP  TS36.300,  “Evolved  Universal  Terrestrial  Radio  Access  （E−UTRA）  and  Evolved  Universal  Terrestrial  Radio  Access  Network（E−UTRAN）；Overall  description；Stage  2（Release  8）,”  V8.7.0  （2008−12）
【非特許文献２】3GPP  TR24.801,  “3GPP  System  Architecture  Evolution（SAE）；CT  WG1  Aspects（Release  8）,”V8.1.0  （2008−12）
【発明の概要】
【発明が解決しようとする課題】
【０００５】
しかしながら、上記従来の技術によれば、３ＧＰＰでは、ＣＳＧセルに対するアクセス権限を動的に変更する技術は規定されていない。そのため、ＣＳＧセルに対するアクセス権限を動的に変更すると、端末側とコアネットワーク側のホワイトリストにおいて一時的に不整合が生じる可能性がある、という問題があった。【０００６】
例えば、家庭用基地局のオーナが、特定のゲスト端末を当該家庭用基地局のセルに一時的にアクセスできるようコアネットワークに指示し、当該コアネットワークが、自身で備えるゲスト端末のホワイトリストを家庭用基地局のセルに対してアクセスできるように変更した場合を想定する。この場合、ゲスト端末では、自身で備えるホワイトリストを変更しない限り上記家庭用基地局のセルにアクセスすることができない（しようとしない）。そのため、ゲスト端末が家庭用基地局のセル以外に接続できるセルがない場合、すなわち、ゲスト端末からコアネットワークへの接続経路が家庭用基地局のセルを経由した経路以外にない場合、コアネットワークは、ゲスト端末に対してホワイトリストの更新を通知することができない。【０００７】
一方で、コアネットワークがゲスト端末に対してホワイトリストの更新を通知することができない事態を回避するための技術として、たとえば、家庭用基地局のオーナの端末と上記ゲスト端末が近距離無線や非接触ＩＣといった別の手段で直接通信を行い、オーナが、ゲスト端末のホワイトリストを直接変更する方法が考えられる。しかしながら、この方法では、オーナがコアネットワークとゲスト端末の双方にホワイトリストの更新を指示する必要があり、また、オーナが不在の際やゲストの訪問前にはアクセス許可を与えることができないため、利便性が悪いという問題があった。【０００８】
本発明は、上記に鑑みてなされたものであって、端末側とコアネットワーク側のホワイトリストにおいて不整合が生じることなく、ＣＳＧセルに対するアクセス権限を動的に変更することが可能なアクセス権限変更方法を得ることを目的とする。
【課題を解決するための手段】
【０００９】
上述した課題を解決し、目的を達成するために、本発明は、少なくとも１つの端末と、コアネットワーク装置と、アクセスが許可された端末だけを接続可能とするセルを構成する基地局と、を備え、前記コアネットワーク装置が、各端末がアクセス可能なセルをリスト化したホワイトリストである第１のリストを保持し、前記各端末が、自身がアクセス可能なセルをリスト化したホワイトリストである第２のリストを保持するセルラシステムにおけるアクセス権限変更方法であって、前記基地局が、自局のセルへのアクセスが許可されていない所定の端末に対してアクセスを許可した旨を、前記コアネットワーク装置に対して通知するゲスト端末追加指示ステップと、前記通知を受けたコアネットワーク装置が、前記第１のリストに、前記所定の端末がアクセス可能なセルとして、前記基地局のセルを追加する第１のセル追加ステップと、前記コアネットワーク装置が、前記第１のセル追加ステップにてセルが追加された第１のリストを前記基地局へ送信する変更内容送信ステップと、前記基地局が、前記コアネットワーク装置から受信した第１のリストをセル内に同報送信する報知ステップと、前記所定の端末が、前記基地局から受信した第１のリストの内容に基づいて、前記第２のリストに当該基地局のセルを追加し、当該セルにアクセスして前記コアネットワーク装置との通信を開始する第２のセル追加ステップと、を含むことを特徴とする。
【発明の効果】
【００１０】
本発明にかかるアクセス権限変更方法は、端末側とコアネットワーク側のホワイトリストにおいて不整合が生じない、という効果を奏する。
【図面の簡単な説明】
【００１１】
【図１】図１は、セルラシステムの構成例を示す図である。
【図２】図２は、ホワイトリストの構成例を示す図である。
【図３】図３は、書き換え後のホワイトリストの構成例を示す図である。
【図４】図４は、アクセス制御更新情報の構成例を示す図である。
【図５】図５は、アクセス制御更新情報の構成例を示す図である。
【図６】図６は、アクセス制御更新情報の構成例を示す図である。
【図７】図７は、セルラシステムの構成例を示す図である。
【発明を実施するための形態】
【００１２】
以下に、本発明にかかるアクセス権限変更方法の実施の形態を図面に基づいて詳細に説明する。なお、この実施の形態によりこの発明が限定されるものではない。
【００１３】
実施の形態１．
図１は、本実施の形態のセルラシステムの構成例を示す図である。セルラシステムは、端末１，２，３と、コアネットワーク装置１０と、基地局２０，３０と、から構成される。セル２１，３１は、それぞれ、基地局２０，３０における通信可能なエリアを示す。端末１〜３は、基地局２０または基地局３０を経由してコアネットワーク装置１０と通信を行う移動端末である。コアネットワーク装置１０は、基地局２０と接続し、基地局２０のセル２１に在圏し通信可能状態にある端末と通信する。また、基地局３０と接続し、基地局３０のセル３１に在圏し通信可能状態にある端末と通信する。基地局２０，３０は、家庭など屋外の電波が届きにくい屋内に設定された基地局である。セル２１，３１は、ＣＳＧセルである。なお、セル２１，３１では他の基地局からの電波が届かないものとする。
【００１４】
ここでは、初期状態として、セル２１では端末１が、セル３１では端末２，３が接続可能なようコアネットワーク装置１０および端末１〜３のホワイトリストにおいて設定されている。図２は、コアネットワーク装置１０が備えるホワイトリストの構成例を示す図である。端末識別子および当該端末識別子で特定される端末が接続可能なＣＳＧセルのリストの対で構成されている。具体的には、端末１はセル２１にアクセス可能であり、端末２，３はセル３１にアクセス可能であることを示す。なお、各端末が備えるホワイトリストについては、図２に示す内容のうち、自端末に関する情報のみとなる。例えば、端末１のホワイトリストは”２１”のみ、端末２，３のホワイトリストは”３１”のみとなる。このようなホワイトリストを備える場合、セル２１に在圏している端末１〜３では、つぎのような通信状態となる。
【００１５】
（端末１）
端末１は、基地局２０によってセル２１で報知される報知情報よりセル識別子を取得し、ホワイトリストを照合する。端末１のホワイトリストにはセル２１が登録されているため、端末１は、セル２１がアクセス可能と判定し、セル２１を構成する基地局２０を経由してコアネットワーク装置１０との間で位置登録を行う。コアネットワーク装置１０は、端末１がセル２１に在圏していることを認識する。これにより、コアネットワーク装置１０は、端末１に対して着信があった場合、ページングメッセージをセル２１に向けて送出することにより端末１に着信を通知することが可能となる。一方、端末１は、位置登録完了後、セル２１にて待ち受け状態となり、コアネットワーク装置１０から送信されるページングメッセージを監視するとともに、必要時には自身からも発信することができる。
【００１６】
（端末２）
端末２は、端末１と同様、基地局２０によってセル２１で報知される報知情報よりセル識別子を取得し、ホワイトリストを照合する。端末２のホワイトリストにはセル２１が登録されていないため、端末２は、セル２１ではアクセスが許可されていないと判定し、セル２１を構成する基地局２０を経由してコアネットワーク装置１０との間で位置登録を行わず、他に接続可能なセルを探索する。ここでは、セル２１には他の基地局からの電波が届かないため、代替セルが見つからず、端末２は通信圏外となる。なお、セル２１の電波は届いているため、緊急時にはセル２１から発信できるようにしておくこととする。一方、コアネットワーク装置１０は、端末２からの位置登録がないため端末２の位置を特定できず、端末２は電波が届かないところにいるか、電源が切れているものと判断する。
【００１７】
（端末３）
端末２と同様の通信状態となる。
【００１８】
つづいて、セル２１において、アクセスが許可されていない端末２を一時的にセル２１にアクセス可能にする方法について説明する。まず、基地局２０のオーナ（図示せず）が、端末２についてセル２１へのアクセスを許可した旨をコアネットワーク装置１０へ通知する。この通知には、セルラシステムにおける一般的な通信方式を用いる。通知する方法としては、例えば、オーナが自身の端末を使ってコアネットワークに接続し端末を操作して登録する、オーナがサービスセンターに電話をかけオペレータの操作によって登録する、などがあるがこれに限定するものではない。
【００１９】
基地局２０のオーナから通知を受けたコアネットワーク装置１０では、セル２１に端末２がアクセスできるように、自身が備えるホワイトリストを書き換える。図３は、コアネットワーク装置１０が備える書き換え後のホワイトリストの構成例を示す図である。端末２の欄にセル２１がアクセス可能なセルとして追加されている。
【００２０】
つぎに、コアネットワーク装置１０では、ホワイトリストの変更を端末２に通知しようとするが、端末２は圏外の状態のため通信を行うことができない。そのため、端末２では、ホワイトリストを書き換えることができず、コアネットワーク装置１０との間でホワイトリストに不整合が生じる。そこで、コアネットワーク装置１０は、まず、基地局２０に対してアクセス制御更新情報を送信する。図４は、アクセス制御更新情報の構成例を示す図である。アクセス制御更新情報は、Ｎ個の情報要素からなり、それぞれが当該アクセス制御更新の対象とする基地局セルに対応する。それぞれの情報要素は、「対象セル」、「アクセス許可端末数」、「アクセス許可端末」から構成され、対応するＣＳＧセルにおいて一時的にアクセスを許可する端末数および端末の識別子を示すものである。
【００２１】
具体的に、セル２１において一時的にアクセスが許可された端末が端末２のみとする場合、コアネットワーク装置１０から送信されるアクセス制御更新情報は図５に示す様になる。図５は、アクセス制御更新情報の構成例を示す図である。対象セルであるセル２１において、アクセスが許可された端末数が１つであり、端末２を一時的にアクセス可能とすることを示すものである。
【００２２】
基地局２０は、コアネットワーク装置１０から受信したアクセス制御更新情報から自局に対応するセルにおいて一時的にアクセスが許可された端末の識別子を抽出し、当該セルの報知情報として同報送信する。基地局２０には、通信エリアのセルとしてセル２１のみがある。例えば、コアネットワーク装置１０から受信したアクセス制御更新情報が図５に示すものであった場合、セル２１において端末２が一時的にアクセス許可された旨記載されているため、基地局２０は、セル２１の報知情報に端末２の識別子を含める。ここで、各基地局が各セルより同報送信する当該セルにおいて一時的にアクセスが許可された端末の識別子のリストを、ＣＳＧセルホワイトリストとする。セル２１の報知情報により、セル２１に在圏している端末１〜３では、つぎのような通信状態となる。
【００２３】
（端末１）
端末１は、既に自身が備えるホワイトリストに基づいてセル２１で通信可能状態となっている。そのため、セル２１からの報知情報によるＣＳＧセルホワイトリストは取得しない。
【００２４】
（端末２）
端末２は、セル２１からの報知情報によるＣＳＧセルホワイトリストを取得し、当該ＣＳＧセルホワイトリストに自身の識別子が記載されていることから、自身が、セル２１において一時的にアクセスが許可されたことを認識する。そのため、端末２は、ホワイトリストの内容を書き換えて（セル２１を追加して）、ホワイトリストに登録されているセルと同様に、基地局２０を経由してコアネットワーク装置１０との間で通常の位置登録を行い、端末１と同様、通信可能状態となる。
【００２５】
（端末３）
端末３は、セル２１からの報知情報によるＣＳＧセルホワイトリストを取得するが、当該ＣＳＧセルホワイトリストに自身の識別子が記載されていないため、セル２１はアクセス不可と判断し、再び通信圏外の状態となる。
【００２６】
このように、一時的にアクセスが許可された端末２のみが、セル２１において新たに接続可能となり、基地局２０を経由してコアネットワーク装置１０との通信が可能となる。
【００２７】
つづいて、一時的にセル２１にアクセスが許可された端末２を、セル２１においてアクセスを禁止する方法について説明する。まず、基地局２０のオーナが、端末２についてセル２１へのアクセスを禁止した旨をコアネットワーク装置１０へ通知する。コアネットワーク装置１０は、基地局２０のオーナからの要求に従い、端末２のセル２１へのアクセスを禁止することを決定すると、自身のホワイトリストにおいて端末２のアクセス可能なセルのリストからセル２１を削除する。これにより、コアネットワーク装置１０が備えるホワイトリストは再び図２に示すものとなる。
【００２８】
つぎに、コアネットワーク装置１０は、基地局２０に対して、図６に示すアクセス制御更新情報を送信する。図６は、アクセス制御更新情報の構成例を示す図である。対象セルのセル２１において、一時的にアクセスが許可された端末が１つも無いことを示す。すなわち、一時的にアクセスが許可されていた端末２について、アクセスを禁止することを示すものである。
【００２９】
基地局２０は、図６に示すアクセス制御更新情報を受信すると、セル２１で報知している“一時的にアクセス可能な端末のリスト”であるＣＳＧホワイトリストから端末２の識別子を削除する（本実施の形態の場合、リストは空となる）。
【００３０】
コアネットワーク装置１０および基地局２０において、端末２に対するアクセス権限を変更した後、端末２は、例えば、つぎの（１）〜（４）のいずれかの方法によりセル２１へのアクセスが禁止されたことを認識し、セル２１内で再び通信圏外状態となる。
【００３１】
（１）端末２が通信中の場合、コアネットワーク装置１０は、通信中のコネクションを用いて、端末２に対してセル２１でアクセスが禁止されたことを通知する。端末２は、通信終了後、通信圏外状態となる。なお、通知は通信中でもよいし、通信終了時でもよい。コアネットワーク装置１０は、端末２に対してアクセスが禁止されたことを通知した段階で端末２を圏外と認識する。
【００３２】
（２）端末２が待ち受け状態の場合、コアネットワーク装置１０は、基地局２０を経由してページングにより端末２を呼び出し、基地局２０を経由して接続後、（１）と同様に通信中のコネクションを用いて、端末２に対してセル２１でアクセスが禁止されたことを通知する。以降の処理は上記（１）と同様である。
【００３３】
（３）端末２が待ち受け状態の場合、コアネットワーク装置１０は、端末２が周期的に行う位置登録のために基地局２０を経由して接続した際、（１）と同様に通信中のコネクションを用いて、端末２に対してセル２１でアクセスが禁止されたことを通知する。以降の処理は上記（１）と同様である。
【００３４】
（４）端末２が、定期的に報知情報を取得し、自身がＣＳＧセルホワイトリストから削除されたことを認識した場合、基地局２０を経由してコアネットワーク装置１０と接続し、セル２１からの離脱処理を行う。離脱処理後、端末２は通信圏外となり、コアネットワーク装置１０は、端末２を通信圏外と認識する。
【００３５】
なお、一時的にアクセスが許可された端末をアクセス禁止にする方法の応用として、初期状態のホワイトリスト上でセル２１へアクセスが許可されていた端末１を、アクセス禁止にすることも可能である。例えば、コアネットワーク装置１０において、基地局２０からの通知により、端末１をセル２１においてアクセスを禁止にすることを決定した場合、図４〜６に示すアクセス制御更新情報のうち、各情報要素に示す「アクセス許可端末数」および「アクセス許可端末」を、それぞれ「アクセス禁止端末数」および「アクセス禁止端末」に変更することで、コアネットワーク装置１０から基地局２０へ通知することができる。この場合、端末１は、上記（１）〜（３）のいずれかの方法によりセル２１へのアクセスが禁止されたことを認識し、自身が備えるホワイトリストからセル２１を削除した後、通信圏外状態となる。
【００３６】
以上説明したように、本実施の形態では，自身のホワイトリストでアクセスが許可されていないＣＳＧセルに存在しており圏外となっている端末について、当該ＣＳＧセルへのアクセスが許可された場合に、コアネットワーク装置から基地局に対してアクセス制御更新情報を送信し、基地局は当該アクセス制御更新情報に基づいてＣＳＧセルホワイトリストを生成し、当該ＣＳＧセルの報知情報として同セルで同報送信することで、当該圏外となっている端末が、当該ＣＳＧセルへアクセスが許可されたことを認識することができるようにした。これにより、ＣＳＧセルへのアクセス権限の変更対象の端末が当該ＣＳＧセルで圏外となっており、コアネットワーク装置と当該端末との間で通信を確立できない場合においても、端末においてホワイトリストを変更し、基地局を経由してコアネットワーク装置と接続することができる。
【００３７】
なお、端末２がＣＳＧセルホワイトリストに基づいてセル２１をアクセスが許可されたと判定し、基地局２０を経由してコアネットワーク装置１０との間で位置登録を行う際に、コアネットワーク装置１０との間でホワイトリストの同期をとるようにしてもよい。
【００３８】
また、コアネットワーク装置１０が各基地局に対してアクセス制御更新情報を送信し、各基地局がＣＳＧセルにて報知すべきＣＳＧセルホワイトリストを生成するようにしているが、これに限定するものではない。例えば、コアネットワーク装置１０において各ＣＳＧセルで報知すべきＣＳＧセルホワイトリストを生成して各基地局に通知し、各基地局は、受信したＣＳＧセルホワイトリストをそのまま報知するようにしてもよい。
【００３９】
また、ＣＳＧセルホワイトリストとして報知する端末の識別子を各端末の識別子そのものとしているが、これに限定するものではなく、端末固有の情報でスクランブル処理などを施してセキュリティの向上を図ったものとしてもよい。例えば、定期的に変化するランダムなシーケンス番号Ｎに対して、ＩＭＳＩ（International  Mobile  Subscriber  Identity）等の端末固有の識別子Ｉでスクランブル処理してｓ（Ｎ，Ｉ）を得て、さらにＣＲＣ（Cyclic  Redundancy  Check）を付加して、ｓ（Ｎ，Ｉ）｜ＣＲＣ（ｓ（Ｎ，Ｉ））としたものをＣＳＧセルホワイトリストにおける端末識別子とする。受信側の端末では、ＣＲＣ以外の部分ｓ（Ｎ，Ｉ）に対して自身の識別子Ｉ’を用いてデスクランブル化し、Ｓ（ｓ（Ｎ，Ｉ），Ｉ’）を得て、さらにＣＲＣを計算してＣＲＣ（Ｓ（ｓ（Ｎ，Ｉ），Ｉ’））を得る。これを、受信したＣＲＣ（ｓ（Ｎ，Ｉ））と比較する。Ｉ＝Ｉ’の場合、Ｓ（ｓ（Ｎ，Ｉ），Ｉ’）＝ｓ（Ｎ，Ｉ）となるので両者のＣＲＣは一致し、当該端末識別子が自身のものであると判定できる。
【００４０】
実施の形態２．
本実施の形態では、ページングにより端末を呼び出し、アクセス制御の変更を端末に通知する。実施の形態１と異なる部分について説明する。
【００４１】
初期状態として、セルラシステムの構成、および各装置のホワイトリストは実施の形態１と同様とする。すなわち、セル２１において、端末１は通信可能状態、端末２，３は通信不可能状態である。実施の形態１では、端末２，３は、通信圏外にいるのと同じ状態にあり、コアネットワーク装置１０と端末２，３との間での通信は不可能であったが、本実施の形態では、端末２，３は、他のアクセス可能なセルが見つからない場合、セル２１において準待ち受け状態となる。準待ち受け状態では、位置登録や発信を行わず、ページングメッセージのみ待ち受ける。
【００４２】
例えば、コアネットワーク装置１０は、基地局２０からの通知を受け、セル２１において端末２を一時的にアクセスを許可することを決定すると、自身のホワイトリストを図３の様に書き換えて、基地局２０を経由して、セル２１に対してページングメッセージを送信して端末２を呼び出す。端末２，３は、セル２１から送出されるページングメッセージを待ち受けており、双方ともにページングメッセージを受信する。しかしながら、ページングメッセージには端末２の識別子のみ含まれているため、端末２のみがページングに応答してセル２１を構成する基地局２０を経由してコアネットワーク装置１０に接続する。
【００４３】
コアネットワーク装置１０および端末２は、基地局２０を経由して、接続確立したコネクションを用いてホワイトリストの内容を更新することで、端末２も自身のホワイトリストの内容を書き換える（セル２１を追加する）ことができる。これにより、端末２は、実施の形態１と同様に、一時的にアクセスが許可された端末として、セル２１へのアクセスが可能となり、基地局２０を経由してコアネットワーク装置１０との通信が可能となる。なお、一時的にアクセスが許可された端末２について、アクセスを禁止する方法については実施の形態１と同様である。
【００４４】
以上説明したように、本実施の形態では、一時的にアクセスが許可された端末がＣＳＧセルに存在しているものの、当該端末のホワイトリストには当該ＣＳＧセルが登録されていない場合、端末は、準待ち受け状態として当該ＣＳＧセルからのページングメッセージを受信可能とすることとした。これにより、コアネットワーク装置は、ＣＳＧセルへのアクセス権限を変更したい場合は対象となる端末を呼び出し、基地局を経由して端末と接続後に双方のホワイトリストを更新することで当該端末を当該ＣＳＧセルにアクセス可能とすることができる。
【００４５】
なお、コアネットワーク装置１０は、基地局２０を経由してセル２１に対してのみページングを送信していたが、これに限定するものではなく、アクセスが許可された対象のセルの周辺に位置する複数のセルに対してページングを送信してもよい。ここで、図７は、セルラシステムの構成例を示す図である。基地局４０を備える点が図１と異なる。なお、セル４１は、基地局４０における通信可能なエリアを示す。
【００４６】
例えば、図７に示すように、端末２には基地局２０からの電波も基地局４０からの電波も到達している場合、端末２は、セル４１で準待ち受け状態にあってセル２１に向けて送信されたページングメッセージを受信しない可能性がある。そこで、コアネットワーク装置１０は、セル２１と、その周辺セルであるセル４１の両方にページングメッセージを送信する。これにより、端末２がセル４１で準待ち受け状態にある場合であっても、端末２は、セル４１からのページングに応答して基地局４０を経由してコアネットワーク装置１０と接続し、ホワイトリストの内容を書き換えることができる。その後、端末２は、更新したホワイトリストに基づいて、セル２１において通信可能状態となる。
【００４７】
また、端末２がセル２１で準待ち受け状態にあるとき、基地局２０を経由してコアネットワーク装置１０との間で位置登録は行わないようにしているが、これに限定するものではなく、準待ち受け状態であってもアクセスが許可されていないセルから位置登録可能としてもよい。準待ち受け状態にある端末２が、アクセスが許可されていないセルを構成する基地局を経由してコアネットワーク装置１０との間で位置登録を行うことにより、コアネットワーク装置１０は、端末２がどこのセルに存在しているのか把握することが可能となり、アクセス権限を変更する際にページングメッセージを送信するセルを限定することができる。
【００４８】
例えば、図７に示すセルラシステムにおいて端末２がセル４１で準待ち受け状態にある場合、端末２がセル４１を構成する基地局４０を経由してコアネットワーク装置１０との間で位置登録を行うことにより、コアネットワーク装置１０は、端末２がセル４１に存在していることを認識する。コアネットワーク装置１０は、端末２をセル２１にアクセス許可する際、セル４１に対してページングメッセージを送信し、端末２を呼び出す。端末２は、セル４１からのページングに応答し、基地局４０を経由してコアネットワーク装置１０と接続後、ホワイトリストを書き換えることができる。端末２は、更新したホワイトリストに基づいて、セル２１において通信可能状態となる。
【００４９】
また、準待ち受け状態にある端末がアクセスが許可されていないセルから基地局を経由してコアネットワーク装置１０との間で位置登録を行う場合、当該端末では、周期的な位置登録の頻度を通常の頻度よりも下げ、セルの無線リソースを本来使用許可されている端末で優先的に使用できるようにしてもよい。すなわち、端末から送信する位置登録メッセージの送信頻度を下げる。この場合、位置登録メッセージにアクセスが許可されていないセルからの位置登録であることを示すインディケータを設けることによって、コアネットワーク装置１０が、当該端末が準待ち受け状態にあることを認識し、周期的位置登録の周期が通常よりも長くなることが分かるようにしてもよい。
【００５０】
また、準待ち受け状態にある端末がアクセスが許可されていないセルから基地局を経由してコアネットワーク装置１０との間で位置登録を行う場合、コアネットワーク装置１０において位置登録の際に既にホワイトリストの変更がある場合には、位置登録の手続の中でホワイトリストを更新できるようにしてもよい。これにより、本来アクセスが許可されていないセルにおいて、無駄に無線リソースを使用しないように改善することができる。
【産業上の利用可能性】
【００５１】
以上のように、本発明にかかるアクセス権限変更方法は、３ＧＰＰのセルラシステムに有用であり、特に、アクセス制限可能なセルを有するセルラシステムに適している。
【符号の説明】
【００５２】
１，２，３  端末
１０  コアネットワーク装置
２０，３０，４０  基地局
２１，３１，４１  セル
【図１】
2011001526.tif 000003
【図２】
2011001526.tif 000004
【図３】
2011001526.tif 000005
【図４】
2011001526.tif 000006
【図５】
2011001526.tif 000007
【図６】
2011001526.tif 000008
【図７】
2011001526.tif 000009
【国際調査報告】
2011001526.tif 000010
2011001526.tif 000011
2011001526.tif 000012